(57)【要約】【課題】折戸に衝撃力が負荷されたとしても、その折戸の外れを防止できるようにした折戸の開閉装置を提供することである。【解決手段】折戸１０の一方の扉体１１ａの戸尻側の上下にピボットヒンジ２０、３０を取付け、上部ピボットヒンジ２０のピボット軸２２を開口部１の上側に固定された受け具５０の支持孔５３内に挿入して回転自在に支持する。下部ピボットヒンジ３０のアジャストボルト３２の下端の丸軸部３２ｂを開口部１の下側部に固定された受け具６０の支持孔６３内に挿入して回転自在に支持する。受け具６０に支持された揺動可能な係合板８０の揺動側端部にフック片部８１を設け、そのフック片部８１を丸軸部３２ｂに形成された係合溝３２ｃに係合して、丸軸部３２ｂが支持孔６３から上方に抜け出るのを防止して、折戸１０の外れ止めとする。【選択図】図１
2010116667.tif 000002
【特許請求の範囲】
【請求項１】
折り畳み可能に連結された２枚の扉体からなる折戸の一方の扉体の戸尻側上部および戸尻側下部のそれぞれにピボットヒンジを固定し、前記上部ピボットヒンジが、扉体に埋設される筒体と、その筒体内に下端部がスライド自在に挿入されたピボット軸と、そのピボット軸に外方への突出性を付与するスプリングとからなり、前記下部ピボットヒンジが、扉体に埋設される筒体と、その筒体に形成された角孔内に挿入される角軸部を一端部に有し、他端に丸軸部が形成されたアジャストボルトと、そのアジャストボルトにねじ係合されたナットからなり、前記上部ピボットヒンジにおけるピボット軸の上端部を前記折戸によって開閉される開口部の上側部に固定された受け具の支持孔に挿入して回転自在に支持し、下部ピボットヒンジにおけるアジャストボルトの丸軸部を開口部の下側部に固定された受け具の支持孔に挿入して回転自在に支持し、前記開口部の上側に、その開口部の幅方向にわたるレールを固定し、前記折戸の他方の扉体の戸先側上部に前記レールに沿って転動可能なガイドローラを設けた折戸の開閉装置において、
前記アジャストボルトにおける丸軸部の前記支持孔から外部に位置する部分に係合溝を形成し、前記下側の受け具の上面側に、前記係合溝に対して係合可能な係合部を先端に有する係合板を前記係合溝に対して係合、離脱自在に設けたことを特徴とする折戸の開閉装置。
【請求項２】
前記係合板が揺動自在の支持とされ、その揺動側端部に設けられたフック片部を係合部とした請求項１に記載の折戸の開閉装置。
【発明の詳細な説明】
【技術分野】
【０００１】
この発明は、折戸によってクローゼットの開口部等の開口を開閉するようにした折戸の開閉装置に関する。
【背景技術】
【０００２】
建物の出入口やクローゼットの開口部等の開口部を開閉する折戸においては、２枚の扉体をヒンジによって折り畳み可能に連結している。その折戸を用いる開閉装置においては、折戸を形成する一方の扉体の一側上下部のそれぞれにピボットヒンジを取付けて、その扉体を回転自在に支持し、他方の扉体の他側上下部のそれぞれにガイドローラを設け、そのガイドローラを開口部の上下に設けられたレールに沿って転動自在とし、上記他方の扉体の表面に取付けたハンドルを引く操作により折戸を折り畳んで開口部を開放させるようにしている。
【０００３】
ここで、折戸における一方の扉体の上部を回転自在に支持する上部ピボットヒンジとして、底を有する筒体の内部にピボット軸の下端部をスライド自在に挿入し、そのピボット軸を筒体の内部に組込まれたスプリングにより外方に向けて付勢し、ピボット軸の下端部に設けられたフランジを筒体の開口部内周に形成された段部に当接させて、ピボット軸を抜止めするようにしたものが従来から知られている。
【０００４】
一方、折戸における一方の扉体の下部を回転自在に支持する下部ピボットヒンジとして、底を有する筒体の角孔内にアジャストボルトの一端部に形成された角軸部を挿入して、アジャストボルトを回り止めし、そのアジャストボルトにナットをねじ係合し、上記ナットの回転により、アジャストボルトおよび筒体を上下に位置調整し得るようにしたものが従来から知られている。
【０００５】
上記のような上部ピボットヒンジおよび下部ピボットヒンジを用いる折戸の吊り込みにおいては、一方の扉体の上面一側部に上部ピボットヒンジの筒体を埋設し、かつ、下面の一側部に下部ピボットヒンジの筒体を埋設し、上部ピボットヒンジのピボット軸を開口の上側部に固定された受け具の支持孔に挿入し、かつ、下部ピボットヒンジのアジャストボルトの他端に設けられた丸軸部を開口の下側部に固定された受け具の支持孔に挿入して、一方の扉体を回転自在に支持するようにしている。
【発明の開示】
【発明が解決しようとする課題】
【０００６】
ところで、上記従来の折戸の開閉装置においては、下部ピボットヒンジにおけるアジャストボルトの丸軸部を開口部の下側部に固定された受け具の支持孔に単に挿入する支持であるため、一方の扉体に衝撃力が負荷されると、支持孔から丸軸部が抜け出して扉体が外れる危険がある。
【０００７】
この発明の課題は、折戸の外れを防止できるようにすることである。
【課題を解決するための手段】
【０００８】
上記の課題を解決するために、この発明においては、折り畳み可能に連結された２枚の扉体からなる折戸の一方の扉体の戸尻側上部および戸尻側下部のそれぞれにピボットヒンジを固定し、前記上部ピボットヒンジが、扉体に埋設される筒体と、その筒体内に下端部がスライド自在に挿入されたピボット軸と、そのピボット軸に外方への突出性を付与するスプリングとからなり、前記下部ピボットヒンジが、扉体に埋設される筒体と、その筒体に形成された角孔内に挿入される角軸部を一端部に有し、他端に丸軸部が形成されたアジャストボルトと、そのアジャストボルトにねじ係合されたナットからなり、前記上部ピボットヒンジにおけるピボット軸の上端部を前記折戸によって開閉される開口部の上側部に固定された受け具の支持孔に挿入して回転自在に支持し、下部ピボットヒンジにおけるアジャストボルトの丸軸部を開口部の下側部に固定された受け具の支持孔に挿入して回転自在に支持し、前記開口部の上側に、その開口部の幅方向にわたるレールを固定し、前記折戸の他方の扉体の戸先側上部に前記レールに沿って転動可能なガイドローラを設けた折戸の開閉装置において、前記アジャストボルトにおける丸軸部の前記支持孔から外部に位置する部分に係合溝を形成し、前記下側の受け具の上面側に、前記係合溝に対して係合可能な係合部を先端に有する係合板を前記係合溝に対して係合、離脱自在に設けた構成を採用している。
【０００９】
上記の構成からなる折戸の開閉装置において、折戸の取付けに際しては、先ず、上部ピボットヒンジのピボット軸の先端部を開口部の上側に固定された受け具の支持孔に挿入し、かつ、ガイドローラをレール内に挿入する。そして、折戸を引き上げ、下部ピボットヒンジにおけるアジャストボルトの丸軸部を開口部の下側に固定された受け具の支持孔上に配置した後、折戸を引下げて丸軸部を下側受け具の支持孔に挿入し、その丸軸部に形成された係合溝に係合板の係合部を係合させるようにする。
【００１０】
上記のように、係合板の係合部を丸軸部の係合溝に係合させることにより、丸軸部が支持孔から上方に抜け出るのを防止することができ、折戸の外れを防止することができる。
【００１１】
ここで、係合板は、一端部を中心にして揺動自在に支持し、その揺動側端部に係合部としてのフック片部を設け、このフック片部を係合溝に係脱させるようにしてもよく、あるいは、受け具に形成された支持孔に対してスライド自在に支持し、その係合板の上記支持孔と対向する端部に係合部としての二股片部を形成し、その二股片部を係合溝に係脱させるようにしてもよい。
【発明の効果】
【００１２】
上記のように、この発明においては、開口部の下側に固定された受け具の支持孔にアジャストボルトの丸軸部を挿入する折戸の吊り込み状態で係合板の係合部を丸軸部に形成された係合溝に係合させることにより、丸軸部が下側受け具の支持孔から上方に抜け出るのを防止することができるため、折戸の外れを確実に防止することができる。
【発明を実施するための最良の形態】
【００１３】
以下、この発明の実施の形態を図面に基づいて説明する。図１は、クローゼットＡの開口部１を折戸１０によって開閉する折戸の開閉装置を示しているが、開口部１はクローゼットＡに限定されるものではない。例えば、建物の出入口であってもよい。
【００１４】
図１に示すように、開口部１の上側部にはレール２が埋め込まれている。レール２は開口部１の幅方向にわたる長さとされている。図６および図７に示すように、レール２はガイド溝３を有し、そのガイド溝３の開口部にレール２の長さ方向に延びる対向一対のガイド突条４が設けられている。このレール２は、ガイド溝３の開口を下向きとして取付けられている。
【００１５】
図１に示すように、開口部１の内側には折戸１０が設けられている。折戸１０は、２枚の扉体１１ａ、１１ｂを有し、その２枚の扉体１１ａ、１１ｂを複数のヒンジ１２によって折り畳み可能に連結している。
【００１６】
折戸１０における一方の扉体１１ａの戸尻側には、扉体１１ａの上面から下向きに延びる上部縦孔１２と、下面から上向きに延びる下部縦孔１３が形成されている。
【００１７】
上部縦孔１２と下部縦孔１３は同軸上の配置とされ、上記上部縦孔１２に上部ピボットヒンジ２０が取付けられ、また、下部縦孔１３に下部ピボットヒンジ３０が取付けられている。
【００１８】
一方、他方の扉体１１ｂの戸先側には、上面から下向きに延びる支持孔１４が形成され、その支持孔１４内に組込まれたローラ支持筒４０内にローラ軸４１の端部がスライド自在に挿入されている。
【００１９】
ローラ軸４１は、ローラ支持筒４０の内部に組込まれた図示省略のスプリングにより外方に向けて付勢され、ローラ支持筒４０から外部に位置する先端部に、レール２のガイド溝３に沿って転動可能な鍔付きガイドローラ４２が回転自在に支持されている。
【００２０】
図６に示すように、上部ピボットヒンジ２０は、底付きの筒体２１と、その筒体２１内に後端部がスライド自在に挿入されたピボット軸２２と、上記筒体２１内に組込まれたスプリング２３とからなっている。
【００２１】
ピボット軸２２はスプリング２３の押圧により外方に向けて付勢され、筒体２１の内部に位置する下端にはフランジ２２ａが形成され、筒体２１の外部に位置する先端部に小径の丸軸２２ｂが設けられている。
【００２２】
一方、筒体２１の開口端部内にはカラー２４の圧入により段部２５が設けられ、その段部２５に対するフランジ２２ａの当接によりピボット軸２２は抜止めされる。
【００２３】
上記の構成からなる上部ピボットヒンジ２０は、一方の扉体１１ａの上面に形成された上部縦孔１２内に筒体２１を圧入する取付けとされる。その上部ピボットヒンジ２０におけるピボット軸２２の丸軸２２ｂは開口部１の上側のレール２に取付けられた受け具５０によって回転自在に支持される。
【００２４】
図６および図７に示すように、受け具５０は、対向一対のガイド突条４に片面の両側部が支持される平板５１の両端に、対向一対のガイド突条４間に嵌合される一対の折曲げ片５２を設け、その折曲げ片５２間にピボット軸２２の丸軸２２ｂを支持する支持孔５３を形成した構成とされている。
【００２５】
また、受け具５０は、対向一対のガイド突条４を平板５２とで上下から挟持するナットプレート５４のねじ孔５５にねじ係合するボルト５６の締付けによってレール２に固定されている。
【００２６】
図２に示すように、下部ピボットヒンジ３０は、閉塞端を有する筒体３１と、アジャストボルト３２と、ナット３３から成る。筒体３１は開口端部にフランジ３１ａが形成され、閉塞端を先端として下部縦孔１３内に圧入されている。
【００２７】
アジャストボルト３２は、一端に角軸部３２ａを有し、他端には丸軸部３２ｂが設けられ、その丸軸部３２ｂの付け根部に周方向の係合溝３２ｃが形成されている。アジャストボルト３２は、角軸部３２ａを筒体３１に形成された角孔３１ｂに挿入する組付けとされ、上記角孔３１ｂと角軸部３２ａの嵌合により、アジャストボルト３２は筒体３１に対して回り止めされている。
【００２８】
ナット３３は、アジャストボルト３２にねじ係合されて筒体３１のフランジ３１ａに接触し、そのナット３３を回転すると、ナット３３とアジャストボルト３２が軸方向に相対移動するようになっている。
【００２９】
下部ピボットヒンジ３０におけるアジャストボルト３２の丸軸部３２ｂは、その下方に設けられた受け具６０によって回転自在に支持される。
【００３０】
図２乃至図５に示すように、受け具６０は、床面Ｗに固定された台座７０に取付けられている。ここで、台座７０は、矩形の支持板７１の外周に下向きの周壁７２を設けた箱型とされ、上記周壁７２の一側壁下端には取付板７３が外向きに形成され、その取付板７３が床面にねじ込まれたビス７４の締付けによって固定されている。また、支持板７１には開口部１の幅方向に長く延びる長孔７５が形成されている。
【００３１】
受け具６０は、台座７０の支持板７１の上面で支持される平板６１に両端に、上記長孔７５に嵌合される一対の折曲げ片６２を設け、その折曲げ片６２間に丸軸部３２ｂを支持する支持孔６３を形成した構成とされている。
【００３２】
また、受け具６０は、長孔７５の両側部を平板６２とで上下から挟持するナットプレート６４のねじ孔６５にねじ係合するボルト６６の締付けによって支持板７１に固定されている。
【００３３】
受け具６０の上面側には係合板８０が設けられ、その係合板８０はボルト６６を中心にして揺動自在に支持され、その揺動側端部には係合部としてのフック片部８１が設けられている。フック片部８１は丸軸部３２ｂに形成された係合溝３２ｃに対して係合可能とされ、その係合によって丸軸部３２ｂが支持孔６３から抜け出るのを防止するようになっている。
【００３４】
図１に示すように、折戸１０が開口部１を閉鎖する状態において、床面Ｗには、折戸１０の他方の扉体１１ｂの戸先側端部と対向する位置に磁性金属板からなる吸着板９０が固定されている。一方、上記扉体１１ｂの戸先側端部には永久磁石９１が取り付けられ、その永久磁石９１が吸着板９０を吸着する作用によって扉体１１ｂの戸先側端部は振れ止めされるようになっている。
【００３５】
実施の形態で示す折戸の開閉装置は上記の構造からなり、折戸１０の取付けに際しては、先ず、上部ピボットヒンジ２０のピボット軸２２の先端部を開口部１の上側に固定された受け具５０の支持孔５３に挿入し、かつ、ガイドローラ４２をレール２のガイド溝３内に挿入する。その状態において、折戸１０を引き上げ、下部ピボットヒンジ３０におけるアジャストボルト３２の丸軸部３２ｂを開口部１の下側に固定された受け具６０の支持孔６３上に配置した後、折戸１０を引き下げ、丸軸部３２ｂを下側受け具６０の支持孔６３に挿入して、丸軸部３２ｂを回転自在に支持する。
【００３６】
上記のような折戸１０の吊り込み状態において、ナット３３の回転により、そのナット３３を上方向に移動させる。このとき、折戸１０もナット３３と共に移動し、その折戸１０の上方への移動により上部ピボットヒンジ２０のピボット軸２２を筒体２１に内部に没入させてスプリング２３の弾性力を高め、ピボット軸２２の丸軸２２ｂが支持孔５３から外れることのないよう折戸１０を吊り込み調整する。
【００３７】
折戸１０の吊り込み調整後、係合板８０をアジャストボルト３２の丸軸部３２ｂに向けて揺動させ、その丸軸部３２ｂに形成された係合溝３２ｃに係合板８０のフック片部８１を係合させるようにする。
【００３８】
上記のように、係合板８０のフック片部８１を丸軸部３２ｂの係合溝３２ｃに係合させることにより、丸軸部３２ｂが支持孔６３から上方に抜け出るのが防止されることになる。
【００３９】
このため、折戸１０に衝撃力が負荷されても、丸軸部３２ｂは支持孔６３から上方に抜け出ることはなく、折戸１０の外れ止めとすることができる。
【００４０】
なお、図２および図３では、係合板８０を揺動自在に支持し、その揺動側端部に設けられたフック片部８１を係合溝３２ｃに係合させて、丸軸部３２ｂを抜止めするようにしたが、係合板を丸軸部に向けてスライド自在に支持し、その係合板の丸軸部と対向する端部に二股片を形成し、その二股片を係合溝に係合させて、丸軸部を抜止めするようにしてもよい。
【００４１】
図１では、床面Ｗに台座７０を固定し、その台座７０で受け具６０を支持するようにしたが、図８および図９に示すように、床面Ｗに開口部１の幅方向にわたるレール５を取付け、そのレール５の上側部に受け具６０を固定するようにしてもよい。ここで、レール５として、開口部１の上側に固定したレール２と同一形状のものが採用されている。
【００４２】
また、折戸１０の戸先側端部に取付けた永久磁石９１と床面Ｗに取付けた吸着板９０との吸着によって折戸１０の戸先側端部を振れ止めしたが、折戸１０の戸先側端部に回転可能なガイドローラ４３を設け、そのガイドローラ４３を上記レール５のガイド溝内に挿入して、折戸１０の戸先側端部を振れ止めするようにしてもよい。
【００４３】
なお、図８では、レール２、５として、埋め込みタイプのレールを用いたが、図１０に示すように、床面Ｗ上に取り付ける面付けタイプのレール２、５を用いるようにしてもよい。
【図面の簡単な説明】
【００４４】
【図１】この発明に係る折戸の開閉装置の実施の形態を示す一部切欠正面図
【図２】図１の折戸の戸尻側の下側部分を拡大して示す一部切欠正面図
【図３】図２のIII−III線に沿った断面図
【図４】図２のIV−IV線に沿った断面図
【図５】図４の一部分を拡大して示す断面図
【図６】図１の折戸の戸尻側の上側部分を拡大して示す一部切欠正面図
【図７】図６のVII-VII線に沿った断面図
【図８】この発明に係る折戸の開閉装置の他の実施の形態を示す一部切欠正面図
【図９】図８のIX-IX線に沿った断面図
【図１０】レールの他の例を示す縦断側面図
【符号の説明】
【００４５】
１      開口部
２      レール
１０    折戸
１１ａ  扉体
１１ｂ  扉体
２０    上部ピボットヒンジ
２１    筒体
２２    ピボット軸
２３    スプリング
３０    下部ピボットヒンジ
３１    筒体
３１ｂ  角孔
３２    アジャストボルト
３２ａ  角軸部
３２ｂ  丸軸部
３２ｃ  係合溝
３３    ナット
４２    ガイドローラ
５０    受け具
５３    支持孔
６０    受け具
６３    支持孔
８０    係合板
８１    フック片部（係合部）
【図１】
2010116667.tif 000003
【図２】
2010116667.tif 000004
【図３】
2010116667.tif 000005
【図４】
2010116667.tif 000006
【図５】
2010116667.tif 000007
【図６】
2010116667.tif 000008
【図７】
2010116667.tif 000009
【図８】
2010116667.tif 000010
【図９】
2010116667.tif 000011
【図１０】
2010116667.tif 000012